(57)【要約】      （修正有）【課題】軽量で使いやすく安全性の高いトングの提供。【解決手段】トング１は、相対向して離間配置された一対の把手部２，２と、各把手部２，２の先端にそれぞれ設けられる一対の挟み持ち部３，３と、一対の把手部２，２を近接離間自在にして各把手部２，２の末端２ｂ，２ｂを弾性連結する連結部４とを備えてなり、一対の把手部２，２を近接させることにより一対の挟み持ち部３，３間で被挟持物Ｂを挟持するものにおいて、一対の把手部２，２、一対の挟み持ち部３，３、および連結部４を合成樹脂で構成したものである。また、挟み持ち部３，３を把手部２，２から分離独立に形成し、挟み持ち部３，３と把手部２，２とを着脱自在に接続する第１接続手段５，５を備えている。【選択図】図１
0003117374.tif 000002
【実用新案登録請求の範囲】
【請求項１】
相対向して離間配置された一対の把手部と、各把手部の先端にそれぞれ設けられる一対の挟み持ち部と、一対の把手部を近接離間自在にして各把手部の末端を弾性連結する連結部とを備えてなり、一対の把手部を近接させることにより一対の挟み持ち部間で被挟持物を挟持するトングにおいて、一対の把手部、一対の挟み持ち部、および連結部を合成樹脂で構成したことを特徴とするトング。
【請求項２】
挟み持ち部を把手部から分離独立に形成し、前記挟み持ち部と前記把手部とを着脱自在に接続する第１接続手段を備える請求項１に記載のトング。
【請求項３】
連結部を把手部から分離独立に形成し、前記把手部と前記連結部とを着脱自在に接続する第２接続手段を備える請求項１または請求項２に記載のトング。
【考案の詳細な説明】
【技術分野】
【０００１】
本考案は、日用品、ゴミなどの被挟持物を挟み持つために使用されるトングに関するものである。
【背景技術】
【０００２】
従来汎用のトングとしては、相対向して離間配置された一対の把手部と、各把手部の先端にそれぞれ形成された一対の挟み持ち部と、一対の把手部を近接離間自在にして各把手部の末端を弾性連結する連結部とから構成されたものが、例えば下記の特許文献１に記載されている。文献記載のトングはその大部分がステンレス鋼板のプレス加工により製造されており、両把手部を手で内向きに押圧することにより両挟み持ち部を近接させて、挟み持ち部間で被挟持物を挟持するようになっている。かかるトングは木炭やゴミなどの把持用に使用されている。
【特許文献１】実開平３−１２７５７４号公報
【考案の開示】
【考案が解決しようとする課題】
【０００３】
ところで、前記した従来のトングは大部分が金属で構成されているため、比較的重量があり長時間の清掃作業には不向きであった。また、ゴミ袋へゴミなどを出し入れする際に、挟み持ち部の先端で袋を引っ掛けて破いたり、あるいは人を傷つけたりすることがあった。このように袋が破れると折角収容したゴミなどが周囲に散乱するという不具合がある。また、車椅子を利用している肢体不自由者や病床に寝たままの患者は立ち上がれないため、そのときの姿勢で手の届く範囲内にある物しか取ることができない。そのために、所望する物品が指先からほんの２０〜３０ｃｍ離れたところ、例えば床上に落ちていたとしても、手に取れなかったのである。そこで、従来のトングを用いて物品を掴むことが考えられるが、体力のない人にとって金属製のトングは重すぎることから汎用には至っていない。
【０００４】
本考案は、上記した従来の問題点に鑑みてなされたものであって、軽量で使いやすく安全性の高いトングの提供を目的とする。
【課題を解決するための手段】
【０００５】
上記目的を達成するために、本考案に係るトングは、相対向して離間配置された一対の把手部と、各把手部の先端にそれぞれ設けられる一対の挟み持ち部と、一対の把手部を近接離間自在にして各把手部の末端を弾性連結する連結部とを備えてなり、一対の把手部を近接させることにより一対の挟み持ち部間で被挟持物を挟持するトングにおいて、一対の把手部、一対の挟み持ち部、および連結部を合成樹脂で構成したものである。
【０００６】
また、前記構成において、挟み持ち部を把手部から分離独立に形成し、前記挟み持ち部と前記把手部とを着脱自在に接続する第１接続手段を備えるものである。
【０００７】
そして、前記した各構成において、連結部を把手部から分離独立に形成し、前記把手部と前記連結部とを着脱自在に接続する第２接続手段を備えるものである。
【考案の効果】
【０００８】
本考案に係るトングは全体が合成樹脂で構成されているので、慣用の成型法により簡単かつ安価に製作でき、軽量で使いやすいトングを提供することができる。また、金型の選定により所望の形状を採用できるので、例えば先端が丸みを帯びた挟み持ち部を得ることも可能であり、使用時にゴミ袋などを破ったり人を傷つけたりすることを防止できる。
【０００９】
また、第１接続手段を備えるトングは挟み持ち部と把手部とを着脱自在に接続できるので、用途や趣向に応じて種々の形状や構造の挟み持ち部に取り替えて使用することができる。
【００１０】
そして、第２接続手段を備えるトングは把手部と連結部とを着脱自在に接続できるので、利用者の握力や手の大きさに合わせて弾性力やサイズの異なる連結部に取り替えて使用することができる。
【考案を実施するための最良の形態】
【００１１】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るトングの正面図、図２は前記トングの側面図、図３は図２におけるＡ−Ａ矢視断面図、図４は離脱させた第１接続手段を示す部分拡大図である。
【００１２】
各図において、この実施形態に係るトング１は、相対向して離間配置された一対の把手部２，２と、各把手部２,２の先端２ａ，２ａにそれぞれ設けられた一対の挟み持ち部３，３と、一対の把手部２，２を近接離間自在とするように各把手部２，２の末端２ｂ，２ｂを弾性連結する連結部４とから構成されている。前記した一対の把手部２，２、一対の挟み持ち部３，３、および連結部４は例えばＡＢＳ樹脂を材料とし金型を用いて射出成形される。
【００１３】
前記の把手部２および連結部４は一体に成形され、挟み持ち部３は把手部２から分離独立に形成されている。挟み持ち部３の末端３ｂの上面には、下向きに陥入した逃し穴６を有する嵌合突部７が設けられている。嵌合突部７の前壁と後壁には、正面視で天地逆Ｕ字状の貫通溝８が逃し穴６と外部を連通して形成されており、結果として貫通溝８に囲まれて成る可撓片９の上部が前後揺動自在となっている。前側の可撓片９の上部には前向きに突出した係止突起１０が設けられ、背側の可撓片９の上部には後向きに突出した係止突起１０が設けられている。一方、把手部２の先端２ａの下面には、上向きに陥入した嵌合穴１１が形成されている。この嵌合穴１１は挟み持ち部３の嵌合突部７がガタつきなしに装着される寸法、形状に設定されている。把手部２の先端２ａの前壁と後壁には、嵌合穴１１と外部を連通する係止孔１２，１２がそれぞれ形成されている。これらの係止孔１２，１２は挟み持ち部３の嵌合突部７が嵌合穴１１内の所定位置まで嵌挿されたときに嵌合突部７の係止突起１０と係合する位置に設けられている。そして、一対の挟み持ち部３，３の先端部１３，１３は他の部位よりも横（前後）に広い板状に形成されており、それぞれの対向面には被挟持物Ｂを確実に把持するための断面波型状の突起が設けられている。
【００１４】
上記した構成のトング１では、まず、一対の把手部２，２の嵌合穴１１，１１に、挟み持ち部３，３の嵌合突部７，７がそれぞれ挿入される（図４の矢印１６参照）。すると、嵌合突部７，７の係止突起１０，１０が嵌合穴１１，１１の内壁により干渉し可撓片９，９が逃し穴６内に撓んだ状態で奥に進む。そのうちに、係止突起１０，１０が把手部２の係止孔１２，１２に達して係止孔１２，１２の内周縁に係止される。これにより、一対の把手部２，２と、挟み持ち部３，３とが確りと接続される。逆に、把手部２から挟み持ち部３を分離するときは、両方の係止突起１０，１０を内向きに押して係止孔１２，１２との係合を解除させた状態で嵌合突部７を嵌合穴１１から引き抜くことにより分離される。すなわち、把手部２の嵌合穴１１、係止孔１２，１２と、挟み持ち部３の嵌合突部７、貫通溝８、可撓片９、係止突起１０との組合せ構成が、挟み持ち部３の末端３ｂと把手部２の先端２ａとを着脱自在に接続する第１接続手段５の構成となる。
【００１５】
上記のように一体に組み立てられたトング１は、一対の把手部２，２が手で押圧されて互いに近づけられることにより、一対の挟み持ち部３，３間で被挟持物Ｂを挟持するようになっている。このトング１は、病床に就いている患者や車椅子に乗った肢体不自由者等が使用すると非常に役立つ。すなわち、座ったままであるいは寝たままで、床に落ちている物や手の届かない場所に在る物をトング１を用いて取り上げることができる。一方で、健常者であってもいったん机に座ると業務や学業に忙殺されて立つ暇もないことがある。かかる場合にも、手の届かない所に在る物であってもトング１を用いて取ることができる。このトング１は、病床の手すり、車椅子の肘掛、または机の側面などに連結部４を掛けて保管しておくことにより、所望の時に手軽に使用することができる。
【００１６】
上記したトング１は全体がＡＢＳ樹脂を材料として構成されているので、射出成形、押出成形、その他慣用の成形法により簡単に製作することができ、安価で軽量なものとして提供される。そして、金型の選定により所望の形状のものを容易に製造できるので、先端が尖っていない挟み持ち部３を得ることも可能で、使用時にゴミ袋などを破ったり人を傷つけたりすることを防止できる。あるいは、利用者に購買意欲を喚起させるようなかわいい形状を選択することもできる。また、ＡＢＳ樹脂に添加される染顔料を適宜選定することにより、数多くのカラーバリエーションのなかから所望のものを採用することができる。一方で、このトング１は第１接続手段５を備えているので、挟み持ち部３と把手部２とを着脱自在に取り外すことができる。従って、挟み持ち部３以外に、用途や趣向に応じて種々の形状や構造の挟み持ち部に取り替えて使用することができる。
【００１７】
前記のように取り替えられる挟み持ち部の別例を図５に示す。図示の挟み持ち部３Ａは合成樹脂製であり、既述したトング１の先端部１３よりも大判の先端部１３Ａを有している。挟み持ち部３Ａの末端３ｂには、第１接続手段５の、嵌合突部７、貫通溝８、可撓片９、および係止突起１０が設けられている。先端部１３Ａはその下辺に沿って波型突起が形成されている。かかる挟み持ち部３Ａ，３Ａを把手部２，２の先端２ａ，２ａ（図１〜図４参照）に取り付けたトングは、比較的大判の被挟持物を挟み持つために好適に用いられる。
【００１８】
あるいは、図６（ａ），（ｂ）に示す合成樹脂製の挟み持ち部３Ｂ，３Ｂに取り替えて使用することも可能である。挟み持ち部３Ｂ，３Ｂの先端部１３Ｂ，１３Ｂは、左右外向きに膨出した円弧部１４，１４と、円弧部１４，１４の先端にそれぞれ形成された平面部１５，１５を備えている。かかる挟み持ち部３Ｂ，３Ｂを把手部２，２の先端２ａ，２ａに取り付けたトングは、空き缶などの円柱状物を円弧部１４，１４間に挟んで持ち上げることができる。吸殻などの小さなゴミは平面部１５，１５間に挟まれて取り上げられる。
【００１９】
他方で、図７に示すトング１Ａも全てが合成樹脂で構成されていて本考案に含まれる。このトング１Ａは、挟み持ち部３および把手部２が一体に形成され、把手部２と連結部４とが分離独立に形成されている。そして、連結部４の先端４ａに嵌合突部７Ａが設けられ、把手部２の末端２ｂに嵌合突部７Ａと着脱自在に接続される嵌合穴１１Ａが設けられている。かかる連結部４の嵌合突部７Ａと把手部２の嵌合穴１１Ａとの組合せ構成が本実施形態における第２接続手段５Ａである。このように第２接続手段５Ａを備えるトング１Ａは把手部２と連結部４とを着脱自在に接続できるので、利用者の握力や手の大きさに合わせて弾性力やサイズの異なる連結部４に取り替えて使用することができる。
【００２０】
尚、本考案の第２接続手段としては、前記以外に、既述のトング１で示した第１接続手段５のように、把手部２の末端２ｂに設けた嵌合突部と、連結部４の先端４ａに設けられて前記嵌合突部と着脱自在に接続される嵌合穴との組合せ構成を採用することも可能である。更に、本考案に係る第１接続手段と第２接続手段は、上述した第１接続手段５や第２接続手段５Ａの形状、構造に限るものでなく、分離独立の挟み持ち部と把手部とを着脱自在に接続するもの、あるいは分離独立の把手部と連結部とを着脱自在に接続するものであれば、いかなる形状、構造であっても構わない。
【００２１】
また、本考案に用いる合成樹脂としては、利用者による通常使用において一定以上の耐久性を有する樹脂であればよい。すなわち、既述したＡＢＳ樹脂に限らず、例えばポリプロピレン樹脂、ポリエチレン樹脂、ポリアミド樹脂などのように、金属と比べて柔らかく軽量で、成型性に富む合成樹脂を用いることができる。
【００２２】
そして、上記のトング１，１ａでは、把手部２または連結部４を残りの部位から分離独立に構成したが、トング全体を一体に形成したものも本考案に含まれることは言うまでもない。
【図面の簡単な説明】
【００２３】
【図１】本考案の一実施形態に係るトングの正面図である。
【図２】前記トングの側面図である。
【図３】図２におけるＡ−Ａ矢視断面図である。
【図４】離脱させた第１接続手段を示す部分拡大図である。
【図５】挟み持ち部の別例を示す側面図である。
【図６】挟み持ち部の他例を示す正面図及び側面図である。
【図７】本考案の別実施形態に係るトングの正面図である。
【符号の説明】
【００２４】
１，１Ａ  トング
２    把手部
２ａ  先端
２ｂ  末端
３，３Ａ，３Ｂ  挟み持ち部
３ｂ  末端
４    連結部
４ａ  先端
５    第１接続手段
５Ａ  第２接続手段
７，７Ａ  嵌合突部
１１，１１Ａ  嵌合穴
Ｂ    被挟持物
【図１】
0003117374.tif 000003
【図２】
0003117374.tif 000004
【図３】
0003117374.tif 000005
【図４】
0003117374.tif 000006
【図５】
0003117374.tif 000007
【図６】
0003117374.tif 000008
【図７】
0003117374.tif 000009